(57)【要約】      （修正有）【課題】集光効果と光の使用効率が高く、出力された光の均一度が極めて優れた導光板構造を提供する。【解決手段】光出力面と、向かい合うように傾斜した二つの第一全反射面２２、２３と、第二全反射面２４と、前記第二全反射面２４の両端に連結された二つの光線入射面とからなる。前記光出力面と前記第二全反射面２４は対向し、前記向かい合うように傾斜した二つの第一全反射面２２、２３は、光出力面及び二つの光線入射面に連結され、前記二つの光線入射面は、それぞれ、向かい合うように傾斜した二つの第一全反射面２２、２３に対応する。【選択図】図３
0003182671.tif 000002
【実用新案登録請求の範囲】
【請求項１】
光出力面と、向かい合うように傾斜した二つの第一全反射面と、第二全反射面と、前記第二全反射面の両端に連結された二つの光線入射面とからなる導光板構造であって、
前記光出力面と前記第二全反射面は対向し、前記向かい合うように傾斜した二つの第一全反射面は、光出力面及び二つの光線入射面に連結され、前記二つの光線入射面は、それぞれ、向かい合うように傾斜した二つの第一全反射面に対応し、
以上の構造により、二つの光線入射面に対応して設けられた光源から発した光線が、二つの光線入射面を経由して、二つの第一全反射面にそれぞれ入射し、さらに、二つの第一全反射面によって向かい合うように前記第二全反射面へ全反射し、さらに、第二全反射面によって全ての光線が光出力面へと射出されることを特徴とする、導光板構造。
【請求項２】
前記第二全反射面の表面は、連続したＶ形溝を備えることを特徴とする、請求項１に記載の導光板構造。
【請求項３】
前記二つの光線入射面は、凹んだ弧状面であることを特徴とする、請求項１に記載の導光板構造。
【請求項４】
前記二つの光線入射面は、二つの柱状レンズであることを特徴とする、請求項１に記載の導光板構造。
【考案の詳細な説明】
【技術分野】
【０００１】
本考案は集光効果と光の使用効率が高く、出力された光の均一度が極めて優れた導光板、及びこの導光板を使用したバックライトモジュールに関する。
【背景技術】
【０００２】
ＬＥＤ発光体は、輝度が高い、電力を節約できる、環境に優しい、使用寿命が長いといった利点を備えており、ＬＥＤ発光体を導光板のバックライトモジュールと一緒に用いる形で、各種電子商品（携帯電話、パソコンなど）及び照明器具の照明に幅広く使用されつつある。
【０００３】
図１を参照する。図１は、従来の導光板にＬＥＤ発光体を設けたバックライトモジュールである。バックライトモジュール１０は、導光板１１と二つのＬＥＤ発光体１２とからなり、導光板１１は、光出力面１１１と、光出力面に対応する反射面１１２、と、光出力面１１１及び反射面１１２に連結される二つの光線入射面１１３を備える。反射面１１２の表面には、連続したＶ形溝が設けられ、二つのＬＥＤ発光体１２の光線は、二つの光線入射面１１３から導光板１１内に入射し、反射面１１２によって反射し、光出力面１１１から射出して発光する。
【０００４】
従来の技術の解決すべき技術課題は以下の通りである。上述した導光板１１は、両側の二つのＬＥＤ発光体１２の光線を誘導して外へ発光させることができる。しかしながら、二つのＬＥＤ発光体１２の光線は、それぞれ、導光板１１の左、右両側の光線入射面１１３から導光板１１内に入射し、単純に導光板１１だけを利用して光の誘導を行い、その入射した光線は光学設計を経ないため、両側から入射した二つの光線は、行進する過程でエネルギーがロスする。つまり、光の入射したエネルギー量は、行進過程でどんどん小さくなるため、入射の両端が強く、真ん中に向かうに従い弱くなる。それにより、導光板１１全体の光の入射エネルギーの強弱が一定にならず、出力された光の輝度が均一にならない現象が生じる。
【０００５】
また、導光板１１の二つの光線入射面１１３は左右両側に配置されているが、ＬＥＤ発光体は散乱性の光源であり、光は四方八方に散らばるため、二つのＬＥＤ発光体１２の一部の光線は導光板１１の両側から射出しやすく、それにより、両側が眩しくなりやすい。
【０００６】
また、導光板１１の二つの光線入射面１１３は、左右両側に分けて配置されているため、バックライトモジュール１０を使用する時、二つのＬＥＤ発光体１２は、二枚の回路板１２１に電気的に接続されていなければならないため、その構造が複雑であり、製造コストとその組立の難易度があがる。
【０００７】
従って、入射した光線が光学設計を経ず、単純に導光板によって誘導されるだけであるため、行進の過程で光エネルギーのロスが生じることにより出力される光が不均一になることと、バックライトモジュールに導光板を使用した時、二つのＬＥＤ発光体は、二枚の回路板に必ず連結しなければならないため、組立しにくく製造コストがあがる等の欠点を改良することが、本考案が解決すべき難題である。
【考案の概要】
【考案が解決しようとする課題】
【０００８】
本考案は、集光効果と光の使用効率が高く、出力された光の均一度が極めて優れた導光板構造を提供することを目的とする。
【０００９】
また、本考案は、バックライトモジュールに使用した時、回路板の数を減らし、コストを下げるとともに組立がしやすくなる導光板構造を提供することを目的とする。
【課題を解決するための手段】
【００１０】
上述の目的を達成するために、本考案の導光板構造は、光出力面と、向かい合うように傾斜した二つの第一全反射面と、第二全反射面と、前記第二全反射面両端に連結された二つの光線入射面と、からなる。前記光出力面と前記第二全反射面は対向し、前記向かい合うように傾斜した二つの第一全反射面には、光出力面及び二つの光線入射面が連結され、前記二つの光線入射面は、それぞれ、向かい合うように傾斜した二つの第一全反射面に対応する。以上の構造により、光線入射面に対応して設けられた光源から発した光線が、二つの光線入射面を経由して、二つの第一全反射面にそれぞれ入射し、さらに、二つの第一全反射面を経由して向かい合うように前記第二全反射面へ全反射し、さらに、第二全反射面によって全ての光線が光出力面へと射出される。  
【００１１】
また、前記二つの光線入射面は、凹んだ弧状面である。
【００１２】
また、前記二つの光線入射面は、二つの柱状レンズである。
【００１３】
また、前記第二全反射面表面は、連続したＶ形溝を備える。
【考案の効果】
【００１４】
従来の技術の実質的な効果と比較すると、本考案の導光板の二つの柱状レンズは、光線を結合させて平行光線にして導光板内に入射させることができ、しかも、向かい合うように傾斜した二つの第一全反射面を利用することにより  第二全反射面へ均一で対称な全反射を行うことができる。このように、光線を全反射させる光学設計となっているため  入射した光線が行進中にエネルギーのロスを起こすとともに残光がまぶしくなるのを避けることができるとともに、より優れた集光効果、光線使用効率、そして、出力された光の高い均一度を達成することができる。また、バックライトモジュールに使用した時、回路板の数を減らし、コストを下げるとともに組立がしやすくなる。
【図面の簡単な説明】
【００１５】
【図１】従来の導光板を使用したバックライトモジュールを示した概略図である。
【図２】本考案の導光板の実施例１を示した斜視図である。
【図３】本考案の導光板の実施例１を示した平面図である。
【図４】本考案の導光板の実施例２を示した平面図である。
【図５】本考案の導光板の実施例３を示した平面図である。
【図６】本考案を使用したバックライトモジュールの実施例及び光の出力を示した説明図である。
【図７】本考案を使用したバックライトモジュールの光の出力部分の拡大図である。
【考案を実施するための形態】
【００１６】
（実施例１）
図２、図３は、本考案による導光板の実施例１の斜視図及び平面図である。導光板２０は、頂部に配置された光出力面２１と、左、右両側に配置されるとともに向かい合うように傾斜した二つの第一全反射面２２、２３と、底面に配置されるとともに光出力面２１に対向する第二全反射面２４と、第二全反射面２４両端に連結された二つの光線入射面とからなる。なお、前記二つの光線入射面は二つの柱状レンズ２５であり、第二全反射面２４の表面は連続したＶ形溝を備え、前記左、右両側に配置されるとともに向かい合うように傾斜した二つの第一全反射面２２、２３は、外に向かって広がるように傾斜する面構造であるとともに、光出力面２１及び二つの柱状レンズ２５の間に連結される。また、二つの柱状レンズ２５は、それぞれ、向かい合うように傾斜した二つの第一全反射面２２、２３に対応し、導光板２０は、一体射出成形である。
【００１７】
（実施例２）
図４に示すように、導光板２０Ａにおける実施例１の導光板２０との違いは、導光板２０Ａの二つの光線入射面がまっすぐな平面２６である、という点である。
【００１８】
（実施例３）
図５に示すように、導光板２０Ｂにおける実施例１の導光板２０との違いは、導光板２０Ａの二つの光線入射面が凹んだ弧状面２７である、という点である。
【００１９】
図６は、実施例１の導光板２０をバックライトモジュール３０に使用した実施例である。バックライトモジュール３０は、導光板２０と、二つの光源３１とからなる。導光板２０は、上述と同様に、光出力面２１と、向かい合うように傾斜した二つの第一全反射面２２、２３と、光出力面２１に対向する第二全反射面２４と、第二全反射面２４両端に連結された二つの柱状レンズ２５とからなる。二つの光源３１は、二つのＬＥＤ発光体３１１と、少なくとも一つの回路板３１２とを電気的に接続してなり、二つのＬＥＤ発光体３１１は、導光板２０の二つの柱状レンズ２５にそれぞれ対応する。引き続き図７を参照する。図７の部分拡大図に示すように、二つのＬＥＤ発光体３１１の光線が、まず、二つの柱状レンズ２５によって連結されて平行光線に変換され導光板２０内に入射し、さらに、左、右両側に配置されるとともに向かい合うように傾斜した二つの第一全反射面２２、２３によって、両側から入射した光線が向き合って交錯しながら底部の第二全反射面２４へと全反射し、さらに、第二全反射面２４の連続したＶ形溝の二つの斜面によって、すべての光線が全反射されて光出力面２１から出射することで、均一性の高い光の照射効果を得ることができる。
【００２０】
従来の技術と比較し、上述の構造による本考案は、二つの柱状レンズにより、二つの光線を結合させて平行光線にして導光板内に入射させることができ、しかも、向かい合うように傾斜した二つの第一全反射面を利用することにより  第二全反射面へ均一で対称な全反射を行うことができる。このように、光線を全反射させる光学設計となっているため  入射した光線が行進中にエネルギーのロスを起こすとともに残光がまぶしくなるのを避けることができるとともに、優れた集光効果、光源使用效率、出力された光の高い均一度を達成することができる。また、この導光板バックライトモジュールに使用した時、二つのＬＥＤ発光体が同じ側に配置されていることにより、単一の回路板を電気的に接続すればよいため、構成部材を簡素化してコストを下げることができるとともに、取り付けがしやすい効果などがある。
【符号の説明】
【００２１】
（従来技術）
１０    バックライトモジュール                        
１１    導光板      
１２    ＬＥＤ発光体                    
１１１  光出力面
１１２  反射面                          
１１３  光線入射面
（本考案）
２０、２０Ａ、２０Ｂ    導光板        
２１                    光出力面        
２２、２３              第一全反射面          
２４                    第二全反射面
２５                    柱状レンズ                        
２６                    まっすぐな平面
２７                    凹んだ弧状面                            
３０                    バックライトモジュール
３１                    光源                                
３１１                  ＬＥＤ発光体
３１２                  回路板
【図１】
0003182671.tif 000003
【図２】
0003182671.tif 000004
【図３】
0003182671.tif 000005
【図４】
0003182671.tif 000006
【図５】
0003182671.tif 000007
【図６】
0003182671.tif 000008
【図７】
0003182671.tif 000009